(57)【要約】【課題】増強分離型の出力変圧器回路を持つ定電流回路を提供する。【解決手段】共振変換回路は分離型の出力変圧器１０２を有し、該変圧器にはランプ端子のうちの１つに連結する第１の２次コイルＬ２−Ｂを設ける。変圧器の１次コイルＬ２−Ａは該第１の２次コイルＬ２−Ｂと直列連結する回路パスを提供し、ＡＣ（交流）ア−スの１節点が第１の２次コイルＬ２−Ｂと１次コイルＬ２−Ａとの間に位置するようにする。また、分離型の出力変圧器の１次コイルはインダクタを提供し、それによって該共振変換回路の一部分を形成する。必要な場合、２次コイルを増設することも可能である。定電流装置１００は整流器１０４を有しており、該整流器はダイオ−ドＤＲ１−４をブリッジングする全ブリッジ配置を有する。さらに、ランプ付近の１点から始まる帰還パスを含む回路を提供するもので、これによって高調波ひずみを削減し、全体効率を増加させる。【選択図】    図２
2004222481.tif 000002
【特許請求の範囲】
【請求項１】
１次コイルおよび第１の２次コイルを有する変圧器を設置し、第１の２次コイルが第１の２次コイルと１次コイルとの間のＡＣアースの１節点に位置して電気接続されて１次コイルに達し、これにより１次コイル上の電位および第１の２次コイル上の電位を結合し、負荷を励起することを特徴とする共振変換回路。
【請求項２】
第２の２次コイルをさらに有し、１次コイルと第１および第２の２次コイルが直列接続の回路パスを提供することを特徴とする請求項１記載の共振変換回路。
【請求項３】
第１の２次コイル全体を越える電位により第１の負荷端子の第１のアース故障電位を提供することを特徴とする請求項１記載の共振変換回路。
【請求項４】
第２の２次コイルおよび１次コイル全体を越える電位により第２の負荷端子の第２のアース故障電位を提供することを特徴とする請求項２記載の共振変換回路。
【請求項５】
共振インバータ回路を有することを特徴とする請求項１記載の共振変換回路。
【請求項６】
変圧器の１次コイルが共振インバータの共振インダクタンス素子に相当する請求項５記載の共振変換回路。
【請求項７】
共振インバータ回路は半ブリッジの配置を有することを特徴とする請求項５記載の共振変換回路。
【請求項８】
第１および第２の２次コイルがランプを励起することを特徴とする請求項５記載の共振変換回路。
【請求項９】
第１の２次コイルはＡＣアースの節点に接続する第１端と負荷の第１端に接続する第２端を有することを特徴とする請求項１記載の共振変換回路。
【請求項１０】
第２の２次コイルをさらに有し、該第２の２次コイルは１次コイルに接続する第１端と負荷の第２端に接続する第２端とを有することを特徴とする請求項９記載の共振変換回路。
【請求項１１】
第１アース故障パスは第１の２次コイルからＡＣアースの節点に達するパスを有することを特徴とする請求項１０記載の共振変換回路。
【請求項１２】
第２アース故障パスは第２の２次コイルおよび１次コイルを越えてＡＣアースの節点に達するパスを有することを特徴とする請求項１１記載の共振変換回路。
【請求項１３】
ＡＣ入力信号の入力整流器、該入力整流器に接続する帰還整流器、および負荷から帰還整流器と入力整流器に対する供給エネルギーを有し、入力整流器中のダイオードの線的作業を促すことを特徴とする請求項１記載の共振変換回路。
【請求項１４】
第１の帰還パスは、第１の２次コイルの供給エネルギーをさらに有することを特徴とする請求項１３記載の共振変換回路。
【請求項１５】
第１の帰還パスは負荷を通過して電流に励起されるコンデンサが供給するエネルギーをさらに有することを特徴とする請求項１４記載の共振変換回路。
【請求項１６】
第１の帰還パスは、帰還整流器の端と端を接続する一対のダイオード間の１点から負荷と直列接続する１点まで延伸していることを特徴とする請求項１３記載の共振変換回路。
【請求項１７】
他の負荷から帰還整流器中の他の一対のダイオード間の各点まで延伸する帰還パスをさらに有することを特徴とする請求項１３記載の共振変換回路。
【請求項１８】
第１の帰還パスおよび他の帰還パスはそれぞれ独立していることを特徴とする請求項１７記載の共振変換回路。
【請求項１９】
１次コイルと第１の２次コイルとの間にＡＣアースを設置して負荷電圧を該１次コイルと２次コイルの間で分離させることを特徴とするＡＣ回路においてアース故障を保護する方法。
【請求項２０】
対向する両端の２次コイルと１次コイルにさらに負荷を接続することを特徴とする請求項１９記載のＡＣ回路においてアース故障を保護する方法。
【請求項２１】
ＡＣ回路には使用可能電圧推定値の分配に適した他の２次コイルをさらに有することを特徴とする請求項２０記載のＡＣ回路においてアース故障を保護する方法。
【請求項２２】
負荷からマルチブリッジの整流器までの帰還パスを有し、入力整流器の線的作業を促す請求項１９記載のＡＣ回路においてアース故障を保護する方法。
【請求項２３】
共振インバータと、１次コイルおよび第１の２次コイルを有する変圧器とを備え、１次コイルは共振インバータの共振インダクタンス素子に相当し、第１および第２次コイルが１次コイルの対向する両端に電気接続されて、該１次コイルおよび第１と第２の２次コイル上の電圧が相加方式でランプ全体に加えられることを特徴とする定電流回路。
【請求項２４】
１次コイルと第１の２次コイルとの間の１節点はＡＣアースに相当することを特徴とする請求項２３記載の定電流回路。
【請求項２５】
１次コイルと第２の２次コイルは直列接続の回路パスを提供することを特徴とする請求項２３記載の定電流回路。
【請求項２６】
第１のランプ端子から第１の２次コイルを越えてＡＣアースに延伸する第１アース故障パスを有することを特徴とする請求項２３記載の定電流回路。
【請求項２７】
第２のランプ端子から第２の２次コイルおよび１次コイルを越えてＡＣアースに延伸する第２アース故障パスを有することを特徴とする請求項２６記載の定電流回路。
【請求項２８】
定電流装置は瞬間起動作業を提供することを特徴とする請求項２３記載の定電流回路。
【請求項２９】
１次コイルを有する変圧器を備える共振インバータを提供し、該変圧器の第１および第２の２次コイルは１次コイルに電気結合され、第１と第２の２次コイルおよび１次コイル上の電圧が相加方式でランプ全体に加えられることを特徴とする定電流のアース故障を保護するための方法。
【請求項３０】
１次コイルの第１端および第１の２次コイルの第１端の間にさらにＡＣアース節点を設けることを特徴とする請求項２９記載の定電流のアース故障を保護するための方法。
【請求項３１】
１次コイルおよび第１と第２の２次コイルを経由して直列接続の回路パスを形成することを特徴とする請求項３０記載の定電流のアース故障を保護するための方法。
【請求項３２】
第１の整流器と、２次コイルに電気接続される１次コイルを設置する変圧器を備える第１の整流器に連結される共振変換回路と、第１の整流器および共振変換回路に連結される第２の整流器と、および共振変換回路から第２の整流器中のある１点までの、第１の整流器の線的作業を促す帰還パスとを備えることを特徴とする回路。
【請求項３３】
第１の整流器は、端と端を連結する第１対および第２対のダイオードを有し、ＡＣ出力信号の整流に使用されることを特徴とする請求項３２記載の回路。
【請求項３４】
第２の整流器が、第１の整流器と負の電圧軌道との間で端と端を連結する第１対のダイオードを備える請求項３２記載の回路。
【請求項３５】
他の帰還パスを有し、各負荷から第２の整流器に達するエネルギーを供給することを特徴とする請求項３２記載の回路。
【請求項３６】
第２の整流器における回路を励起する他の各負荷は、端と端を連結する他の若干対のダイオードを備えることを特徴とする請求項３５記載の回路。
【請求項３７】
第１の帰還パスおよび他の帰還パスはそれぞれ独立していることを特徴とする請求項３６記載の回路。
【請求項３８】
第１の帰還パスおよび他の帰還パスは自動的に最適化されることを特徴とする請求項３７記載の回路。
【請求項３９】
１次コイルと２次コイルとの間に位置するＡＣアースをさらに有し、負荷に加える電圧を１次コイルと２次コイルの間で分離させることを特徴とする請求項３２記載の回路。
【請求項４０】
第１の２次コイルはＡＣアースの節点に連結される第１端と負荷の第１端とに連結可能な第２端を有することを特徴とする請求項３２記載の回路。
【請求項４１】
第２の２次コイルをさらに有し、該第２の２次コイルが１次コイルに連結される第１端と負荷の第２端に連結可能な第２端を備えることを特徴とする請求項４０記載の回路。
【請求項４２】
第１の２次コイルからＡＣアースの節点部分までのパスを含む第１アース故障パスを有することを特徴とする請求項４１記載の回路。
【請求項４３】
第２の２次コイルと１次コイルを越えてＡＣアースの節点部分に達するパスを含む第２アース故障パスを有することを特徴とする請求項４２記載の回路。
【請求項４４】
帰還パスは共振変換回路上の負荷電流が通過する１点から第２の整流器中の端と端を連結する第１および第２のダイオードの間の１点まで延伸することを特徴とする請求項３２記載の回路。
【請求項４５】
第２の整流器中の第１のダイオードは第１の整流器に連結され、第２の整流器中の第２のダイオードはインバータの負の軌道に連結されることを特徴とする請求項４４記載の回路。
【請求項４６】
帰還パスは第２のコイルと負荷から第２の整流器のエネルギーを提供することを特徴とする請求項４５記載の回路。
【請求項４７】
帰還パスは別に負荷と直列接続するコンデンサからエネルギーを提供することを特徴とする請求項４６記載の回路。
【発明の詳細な説明】
【０００１】
【発明の属する技術分野】
本発明は回路に関係し、特に共振変換回路及び定電流回路を指す。
【０００２】
【従来の技術】
負荷に電力を供給する回路には様々な種類がある。その１つは共振インバータ回路で、この種の回路は、例えば整流器で直流（ＤＣ）信号を受信して、さらに交流（ＡＣ）信号を出力するものである。共振インバータ回路は、例えばランプの定電流装置など、様々な装置中に用いることができる。ＡＣ出力は、例えば蛍光灯管などの負荷に連結されて、或いは整流器に連結して、ＡＣ／ＤＣコンバータを形成する。
【０００３】
共振インバータ回路は様々な配置ができる。例えば、半ブリッジのインバータ回路は、トランジスタなどの、半ブリッジ配置によって連結する第１および第２交換素子を含む。全ブリッジ回路は全ブリッジ配置によって連結する４つの交換素子を含む。全ブリッジおよび半ブリッジが反目する回路は通常、共振インダクタンス素子を含む様々な回路素子のインピ−ダンス値により決定される共振特性周波数によって駆動する。
【０００４】
従来の定電流回路ではほとんどの場合、共振インダクタンス素子にインダクタンス連結される出力変圧器を有し、ランプと共振変換回路を隔離させている。この出力変圧器の配置は周知のもので、且つＵＬ（米国保険業者実験所）のランプ定電流装置アース故障基準に合致している。一般に、定電流ランプ端子からの電流はアース側において所定値に制限される。こうした電流制限方式を用いれば、人がランプ端子に接触し、人体を経由しアースに通じるパスを形成することになっても、感電死することがない。
【０００５】
図１は典型的な従来の定電流回路１０を示し、従来の分離型の出力変圧器１２が設置されている。整流器／濾波装置１４は第１および第２の入力端子１６ａ、１６ｂでＡＣ入力信号を受信し、さらに正の電圧軌道１８、および負の電圧軌道２０を提供する。正の電圧軌道１８、および負の電圧軌道２０上にそれぞれインダクタンス連結のインダクタＬ１−Ａ、Ｌ１−Ｂを設置可能である。第１の交換素子２２、および第２の交換素子２４は周知の半ブリッジ配置によって電圧軌道を跨いで連結される。分離型の出力変圧器には例えば１．５ｍＨ巻き数５０のような１次コイル２６があり、共振コンデンサ２８と結合して並列の共振変換回路を形成する。また該変圧器中に例えば巻き数１００のような２次コイル３０があり、第１および第２のランプＬＰ１、ＬＰ２を励起させることが可能で、該ランプはそれぞれ対応するランプコンデンサＣＬ１、ＣＬ２と並列に連結される。こうしたよく知られた配置においては、変圧器の２次コイル３０がランプ端子と共振回路を隔離することで、アース故障電流を制限している。技術者が誤ってランプ端子に接触し、アースに通じる電流パスが形成された場合でも、負傷防止のため、この技術者の身体を通過する電流は安全なレベルに制限される。ＵＬは定電流装置アース故障回路レベルの容認値を定めている。
【０００６】
【発明が解決しようとする課題】
上述の分離型の出力変圧器は安全であるが、寸法が大きいため、定電流回路板上に相当大きなスペ−スが必要になる。また、こうした変圧器の消費電量も大きい。さらに該変圧器は応用上、コロナ効果により性能がマイナス影響を受けることがある。例えば、いわゆる瞬間起動型の定電流装置において、例えば５００ＶＲＭＳなど比較的高い電圧をランプ端子に加えて電流がランプを流れるようにするため、該変圧器はこの電圧を供給してランプを触発しなければならない。だが、こうした電圧は一定期間が経過すると変圧器の作業特性を減損させる。そのため、増強型の出力隔離配置の定電流回路が必要であった。
したがって、本発明の主な目的は、増強分離型の出力変圧器回路を持つ回路を提供することにある。
【０００７】
【課題を解決するための手段】
上述の目的を達成するために、本発明の請求項に記載の回路には比較的有効で信頼できる出力隔離変圧回路を備える共振インバータが含まれる。出力隔離変圧はほとんどの場合、必要なランプ触発電圧を供給するとともに、ランプ端子からのアース故障電流に対して制限を加えるよう、１次コイルと連結する少なくとも１つの２次コイルを備えている。こうした配置を採用すれば、必要電圧が安全性を損なうことなく、例えば、定電流装置の安全基準に合致する状態でランプに有効に加えられて電流を起動させることが可能である。本発明は主に定電流回路に合わせて表示および説明を行うが、本発明はまた、例えば電源供給装置および電気モーターなど、負荷の隔離が望ましく、アース故障電流を制限する他の回路にも適用できる。
【０００８】
本発明は、共振変換回路を提供するもので、該回路は分離型の出力変圧器を有し、該変圧器にはランプ端子のうちの１つに連結する第１の２次コイルを設ける。変圧器の１次コイルは該第１の２次コイルと直列連結する回路パスを提供し、ＡＣ（交流）アースの１節点が第１の２次コイルと１次コイルとの間に位置するようにする。また、分離型の出力変圧器の１次コイルはインダクタを提供し、それによって該共振変換回路の一部分を形成する。必要な場合、２次コイルを増設することも可能である。
【０００９】
本発明では、第２の２次コイルを１次コイルとランプとの間に連結させている。第１の２次コイル全体を越える電圧がランプの一端に加えられ、第２の２次コイルと１次コイル全体を越える電圧がランプの他端に加えられる。
第１のランプ端子からのアース故障電圧は第１の２次コイルの電圧に相当し、第２のランプ端子からの電圧は第２の２次コイルと１次コイルの結合電圧に相当する。
【００１０】
本発明はさらに、ランプ付近の１点から始まる帰還パスを含む回路を提供するもので、これによって高調波ひずみを削減し、全体効率を増加させる。ある実施例では、該回路が変圧器コイルを設けた閉回路電流から環状に高周波整流器に至る帰還パスを有し、低周波入力整流器の線的作業を促進させている。
【００１１】
【発明の実施の形態】
以下、本発明の実施例を図面に基づいて説明する。
図１は、従来の定電流回路のブロックチャートである。
図２は、本発明による分離型の出力変圧器を有する、アース故障電流を制限する共振変換回路の実施例の回路図である。
図３は、本発明による分離型の出力変圧器を有する、アース故障電流を制限する共振変換回路の第２実施例の回路図である。
図４は、本発明による負荷帰還パスを有する共振変換回路の回路図である。
図５は、図４の回路が提供する整流器ダイオードの作動を説明するための図である。
【００１２】
図２は、本発明による増強出力式隔離変圧器１０２配置を有するランプの定電流装置１００の回路の実施例を示したものである。通常、分離型の出力変圧器１０２は高効率で弾性的に作動するとともに、アース故障電流を安全レベルに制限する。特に、分離型出力変圧器の第１の２次コイルＬ２−Ｂ、および１次コイルＬ２−Ａはランプ端子部分に連結され、これにより所望する触発電圧を供給するとともに、ランプのアース電圧レベルを制限する（後に詳述する）。
【００１３】
定電流装置１００は整流器１０４を有しており、該整流器はダイオードＤＲ１−４をブリッジングする全ブリッジ配置を有する。第１および第２の入力端子１０６ａ、１０６ｂは、例えば標準的な１１０ＶＲＭＳ、６０Ｈｚ信号など、ＡＣ（交流）入力信号の受信に用いられる。従来の濾波装置１０８はインダクタンス連結の第１および第２インダクタンス素子Ｌ１−Ａ、Ｌ１−Ｂ、濾波コンデンサＣ０、および図示したように連結する第１および第２ブリッジングコンデンサＣＢ１、ＣＢ２を有している。相互伝導が生じた場合、すなわち交換素子Ｑ１、Ｑ２が同時伝導した場合、第１および第２のインダクタンス素子Ｌ１−Ａ、Ｌ１−Ｂが作動して電流を制限する。
【００１４】
図示したトランジスタの第１の交換素子Ｑ１、および第２の交換素子Ｑ２は、従来の半ブリッジ配置によってインバータの正の電圧軌道１１０、および負の電圧軌道１１２を跨いで連結される。第１の交換素子Ｑ１、および第２の交換素子Ｑ２の伝導状態はそれぞれ第１の制御回路１１４、および第２の１１６が制御する。実施例において、第１の制御素子１１４には共振分離型の出力変圧器１０２の１次コイルＬ２−Ａにインダクタンス連結されたインダクタンス素子Ｌ２−Ｄが含まれる。該インダクタンス素子Ｌ２−ＤとコンデンサＣＱ１および抵抗器ＲＱ１は共同で作動し、定期的に第１の交換素子Ｑ１を伝導状態に偏向させ、共振変換回路の作業を達成させる。第２の制御回路１１６の配置は第１の制御回路１１４と同じでよい。本技術に習熟する者ならこの種の制御回路の配置を熟知しており、さらに他の代替可能な制御回路についても理解している。共振インバータの作動もまた、本技術の熟練者には熟知のものである。
【００１５】
分離型の出力変圧器１０２の１次コイルＬ２−Ａは、共振コンデンサＣ１と並列に連結されて、並列共振インバータ回路配置を形成する。分離型の出力変圧器１０２の第１の２次コイルＬ２−Ｂは１次コイルＬ２−Ａに連結する第１の端子１２０、および直列ランプ端子ＬＴＡ１−Ｎに連結する第２の端子１２２を有する。該ランプ端子ＬＴＡ１−Ｎは、ランプＬＰ１−Ｎの対向端に設けるランプ端子ＬＴＢ１−Ｎと共に、該ランプ端子中に挿入するランプに対して電気接続を提供するのに用いられる。
【００１６】
操作時、第１の２次コイルＬ２−Ｂおよび１次コイルＬ２−Ａは共同で、例えば５００ＶＲＭＳといったランプ作業を直ちに起動させるのに十分な電圧を供給し、同時にランプ端子からアースまでの電圧を制限する。特に、すべての各ランプＬＰ１−Ｎに印加する触発電圧は、例えば大体平均的に分裂するように、１次コイルＬ２−Ａと第１の２次コイルＬ２−Ｂ間で推定値を設定することができる。本技術の熟練者ならいずれも、半分程度の触発電圧ではランプの電離作用の触発には不十分であることがわかっている。したがって、ランプに電圧を加えるときにも、ランプの電流が安全レベルに制限される。変圧器の電圧を分裂させる場合、あるランプ端子からＡＣアースのＡ節点までの電位は、そのランプ端子とＡ節点間に接続するコイル上の電位に相当する。この配置はランプ端子のアース故障電流を制限し、同時に相当高い触発電圧を安全に発生させてランプを起動させることができる。
【００１７】
図３に示す実施例では、回路に使用可能電圧の推定値を更に分配する第２の２次コイルＬ２−Ｃが設置されている。ある実施例では、変圧器の第２の２次コイルＬ２−Ｃは変圧器１次コイルＬ２−Ａの他端に連結する第１の端子１２４、および各ランプのコンデンサＣＬ１−Ｎに連結する第２の端子１２６を持ち、該コンデンサは各ランプＬＰ１−Ｎと直列に連結する。
【００１８】
第１のＡ節点は変圧器の１次コイルＬ２−Ａの片側からＡＣアースを提供する。第１のランプ端子ＬＴＡ１から第１のＡ節点（ＡＣアース）までの電位は、第１の２次コイルＬ２−Ｂ全体に加わる電圧に相当する。同様に、第２のランプ端子ＬＴＢ１からＡＣアース（Ａ節点）までの電位は第２の２次コイルＬ２−Ｃおよび１次コイルＬ２−Ａ全体に加わる電圧に相当する。
【００１９】
ある実施例（未表示）では、該第２の２次コイルＬ２−Ｃの極性を反転させて、１次コイルＬ２−Ａから各ランプに加わる電圧を低下させることが可能である。
本技術の熟練者なら、全回路上に所望する極性を有する他の２次コイルを設置させて、特定の応用ニ−ズに呼応させ得ることがわかる。さらに、本技術の熟練者は１次コイルを２つ以上のコイルに分けて、様々な２次コイルとの連結に供し得ることも承知している。
【００２０】
ほとんどの場合、コイル電圧は相加方式によって各ランプに加わるため、第１および第２の２次コイルＬ２−Ａ、Ｌ２−Ｂおよび１次コイルＬ２−Ａの巻数比は、選択的に且つ必要に応じてランプ触発電圧の推定値を設定することが可能である。したがって、本発明の分離型の出力変圧器回路は、コイルに生じる電圧を制御できるというフレキシブル性が提供される。例えば、１次コイルおよび２次コイル上に合わせて長さ８フィ−トの照明灯を触発できる７５０ＶＲＭＳの電位が生じ、１次コイルおよび２次コイル間でＡＣアースによって電圧を分離すれば、７５０ＶＲＭＳを安全に発生させることが可能である。触発電圧は必要により各コイル中に分配可能である。また、図１に示す従来の回路に比べて、この変圧器はコロナ放電効果が極めて低い状態で７５０ＶＲＭＳを供給できる。
【００２１】
表１は、図３に示す各種回路部品の回路特性の範例を示したものである。本技術の熟練者ならいずれも、本発明の主旨に違わない状況下で、該回路特性を容易に変更して、特定の応用ニ−ズに合致させることが可能である。
【００２２】
【表１】
2004222481.tif 000003
【００２３】
本技術の熟練者であれば、特定の応用ニ−ズに合致させるべく、本発明の主旨に違わない状況下において、他に付加的２次コイルを増やして各ランプまたは他の付加的１次コイルに接続可能なことがわかる。さらに、本発明は有効でフレキシブルな出力隔離を所望する様々な回路および装置に適用できる。範例を挙げると、提供可能な回路および装置には、ランプの定電流装置、電気モーター、電源供給装置などがある。
【００２４】
本発明の第２の面について言えば、共振変換回路には負荷からマルチブリッジ整流器までの帰還パスが含まれ、これによって該回路のパワ−因数（ＰＦ）および全高調波ひずみ（ＴＨＤ）性能が増強される。ほとんどの場合、変圧器のコイルおよび負荷からマルチブリッジ整流器のある１点までの閉ル−プ回路パスは入力整流器のダイオードの線的作動を促すことができる。
【００２５】
図４は、本発明によるパワ−の帰還を有する共振変換回路２００の実施例を示したものである。マルチブリッジ整流器２０１には（ＤＦ１１、ＤＦ１２）、（ＤＦ２１、ＤＦ２２）、・・・（ＤＦＮ１、ＤＦＮ２）端に対して対端連結する若干の整流器ダイオードが備わっている。このマルチブリッジ整流器２００の頂部２０２は低周波入力整流器２０４の底部２０２に連結され、該底部２０６はインバータの負の軌道２０８に連結される。入力整流器２１０の頂部はインバータの正の軌道２１２に連結される。
【００２６】
ある実施例では、提供される共振変換回路２００を図３に類似したトポロジ−を持つ共振インバータ回路とし、同一素子にはすべて、同一の参照番号を与えている。この回路にはさらに第１の２次コイル端子１２２から第２の２次コイル端子１２６まで伸びる第１の直列負荷パスが備わっている。第１の直列負荷パスがさらに、直流ブロック（ＤＣ−ｂｌｏｃｋｉｎｇ）配置によって連結する第１および第２の帰還コンデンサＣＦ１１、ＣＦ１２および若干の端子を備え、例えば第１のランプＬＰ１などの、第１の負荷の励起に供される。
【００２７】
回路２００には、それぞれ対になった帰還コンデンサ（ＣＦ２１、ＣＦ２２）、・・・（ＣＦＮ１、ＣＦＮ２）を持つ若干の類似した負荷パスを備えることができ、他のランプＬＰ２、・・・ＬＰＮの励起に供する。
第１の帰還パスＦＰ１は、第１および第２の帰還コンデンサＣＦ１１、ＣＦ１２間の１点２５０ａからマルチブリッジ整流器２０１の第１対のダイオードＤＦ１１、ＤＦ１２間の１点２５２ａまで伸びている。同様に、他の帰還回路ＦＰ２、…ＦＰＮはいずれも、対になった帰還コンデンサ間の対応点２５０ｂ−Ｎからマルチブリッジ整流器２０１の対になったダイオード間の対応点２５２ｂ−Ｎまで延伸する。
【００２８】
操作時には、第１の２次コイルＬ２Ｂおよび第１の帰還コンデンサ全体のＡＣアースのＡ点における総降圧は、マルチブリッジ整流器２０１の第１対のダイオードＤＦ１１、ＤＦ１２間の点２５２ａに加えられる。第１の帰還パス上の比較的高い周波数常数の振幅信号は、定期的に第１対のダイオード（ＤＦ１１、ＤＦ１２）を伝導状態に偏向させ、また該ダイオードは向きを変えて一対の入力整流器ダイオード、例えばＤＲ１、ＤＲ３を伝導状態に偏向させる。
【００２９】
図５に示すように、マルチブリッジ整流器２０１を経て、第１の帰還パスＦＰ１上の高周波信号は比較的低周波の入力信号ＩＳの正の半サイクルＰＨＣ期間において、定期的に入力整流器２０４の第１対のダイオードＤＲ１、ＤＲ３を伝導状態に偏向させる。同様に、入力信号ＩＳの負の半サイクルＮＨＣ期間において、入力整流器２０４の第２対のダイオードＤＲ２、ＤＲ４が定期的に伝導する。こうした配置を採用すれば、入力信号ＩＳの正の半サイクルＰＨＣ期間に第１の蓄積コンデンサＣ０１を効果的に励起し、入力信号ＩＳの負の半サイクルＮＨＣ期間に第２の蓄積コンデンサＣ０２を励起できる。したがって、線的ダイオードの作業を備えない回路と比べた場合、この入力整流器ダイオードの線的作業によってより効果的な回路が提供される。
【００３０】
このほか、作動中のランプの有無で言えば、各帰還パスＦＰ１−Ｎが独立的なパワ−の帰還を提供する。すなわち、第１のランプＬＰ１があり且つ作動している場合、第１の帰還パスＦＰ１が実質的な帰還エネルギーを供給する。第１のランプがなく、または作動していない場合、第１の帰還信号は、変圧器の第１の２次コイルＬ２Ｂのエネルギーにほぼ相当する。しかし、大量の帰還エネルギーは作動中のランプに由来するものであるので、この回路が自動的に最適化信号を提供することにより、対応する負荷があるか否かをこの帰還エネルギーのベ−スにしている。
【００３１】
帰還パスを備え、線的ダイオード作業を促す従来の回路においては、負荷の有無を問わず、帰還信号は通常、すべて存在している。負荷のない状況下で帰還エネルギーを回路内に注入した場合、回路が応力を受け、性能を損なう可能性がある。
【００３２】
上記で特定の回路トポロジ−に合わせて本発明の帰還回路を表示し且つ説明したが、この帰還配置は１次コイル変圧器から始まる閉回路電流パスを備える様々な共振変換回路に適用できる。つまり、例えば図１に示す従来の分離型の出力変圧器を採用した場合でも、負荷と共振変換回路は隔離しない。
【００３３】
さらに、独立的な帰還回路配置は、回路に異なる操作特性を有する様々な負荷を励起させる。例えば、回路２００は長さの異なるランプを励起できる。各帰還パスがパワ−因数（ＰＦ）および全高調波ひずみ（ＴＨＤ）性能を増す「適量」の帰還エネルギーを供給する。
【００３４】
上記双極トランジスタは本文記載の実施例の交換素子として用いられるが、本発明の主旨に違わない状況下において、様々な交換素子および交換制御回路を採用できることがわかる。例えば交換素子なら、ＢＪＴやＦＥＴのようなトランジスタ、およびシリコン制御整流器（ＳＣＲｓ）等が挙げられる。
また、特定の応用ニ−ズの面から言えば、様々なインバータ配置を採用できることがわかる。例えば、半ブリッジ、全ブリッジ、単独交換素子、および本技術の熟練者に知られる他のインバータ配置である。
【００３５】
上記実施例は本発明を説明しているにすぎず、本発明の範囲を限定するものではない。およそ本発明の主旨に違わず従事される種々の改正または変更は、すべて本発明の特許請求の範囲に属する。
【図面の簡単な説明】
【図１】従来の定電流回路のブロックチャートである。
【図２】本発明による分離型の出力変圧器を有するアース故障電流を制限する共振変換回路実施例の回路図である。
【図３】本発明による分離型出力変圧器を有するアース故障電流を制限する共振変換回路の第２の実施例の回路図である。
【図４】本発明による負荷帰還パスを有する共振変換回路の回路図である。
【図５】図４の回路が提供する整流器ダイオードの作動を説明するための図である。
【符号の説明】
１００    定電流装置
１０２    出力式隔離変圧器
１０６Ａ    第１入力端子
１０６Ｂ    第２入力端子
１０８    濾波装置
Ｃ０      濾波コンデンサ
Ｑ１      第１交換素子
Ｑ２      第２交換素子
１１４    第１制御回路
２００    共振変換回路
２０２    頂部
２０２    底部
２０８    インバータ負線
２１２    インバータ正線
【図１】
2004222481.tif 000004
【図２】
2004222481.tif 000005
【図３】
2004222481.tif 000006
【図４】
2004222481.tif 000007
【図５】
2004222481.tif 000008